(57)【要約】【課題】観賞者端末からインターネットを介してサーバーに向けて申し込まれた配本等の申込に応答して、観賞した放送映像に基づいた製本等の処理、製本の配本先情報の通知または電子書籍の配信等を迅速かつ容易に送信することが可能な配信装置及び配信制御方法を提供することを課題とする。【解決手段】サーバー３は観賞者端末１からインターネット４を介して配本等の申込を受信すると、この受信された配本申込または電子書籍の配信申込等に応答して、観賞した放送映像に基づいた製本等の処理、製本配本先情報の通知または電子書籍の配信等を、インターネット４を介して送信する。観賞者端末１は配本先情報の通知または電子書籍の配信等を受信する。これにより観賞者は配本先がどこであるかと言った情報を得ることができ、または電子書籍の配信による購読を行うことができる。【選択図】      図１
2004199257.tif 000002
【特許請求の範囲】
【請求項１】
放送局から放送されている映像を観賞している観賞者のうち、少なくとも一人の端末から通信手段を介して申し込まれた配本の申込情報を受信する受信手段と、
この受信手段により受信された申込情報に応答して、前記映像に関連した製本書籍の配本先情報を、前記少なくとも一人の観賞者に向けて前記通信手段を介して送信する送信手段と、
を備えていることを特徴とする配信装置。
【請求項２】
放送局から放送されている映像を観賞している観賞者のうち、少なくとも一人の端末から通信手段を介して申し込まれた配信の申込情報を受信する受信手段と、
この受信手段により受信された申込情報に応答して、前記映像に関連した電子書籍を、前記少なくとも一人の観賞者に向けて前記通信手段を介して送信する送信手段と、
を備えていることを特徴とする配信装置。
【請求項３】
放送局から放送されている映像を観賞している観賞者のうち、少なくとも一人の端末から通信手段を介して配本の申込を行った時刻と観賞している映像チャンネルを含む放送局情報とを受信する受信手段と、
この受信手段により受信された時刻と放送局情報とにより特定される放送番組に関連した製本書籍の配本先情報を、前記少なくとも一人の観賞者に向けて前記通信手段を介して送信する送信手段と、
を備えていることを特徴とする配信装置。
【請求項４】
放送局から放送されている映像を観賞している観賞者のうち、少なくとも一人の端末から通信手段を介して配本の申込を行った時刻と観賞している映像チャンネルを含む放送局情報とを受信する受信手段と、
この受信手段により受信された時刻と放送局情報とにより特定される放送番組に関連した電子書籍を、前記少なくとも一人の観賞者に向けて前記通信手段を介して送信する送信手段と、
を備えていることを特徴とする配信装置。
【請求項５】
前記製本書籍は、前記映像に含まれている音声を変換したテキスト、前記映像と対応した字幕、および、前記映像と対応した文字データのいずれかを前記映像と合成して構成された静止画像を複数の印刷媒体上に印刷し、この印刷された複数の印刷媒体を用いて製本された書籍であることを特徴とする請求項１から請求項４のいずれかに記載の配信装置。
【請求項６】
放送局から放送されている映像を観賞している観賞者のうち、少なくとも一人の端末から通信手段を介して申し込まれた配本の申込情報を受信する受信ステップと、
この受信ステップにより受信された申込情報に応答して、前記映像に関連した製本書籍の配本先情報を、前記少なくとも一人の観賞者に向けて前記通信手段を介して送信する送信ステップと、
を備えていることを特徴とする配信制御方法。
【請求項７】
放送局から放送されている映像を観賞している観賞者のうち、少なくとも一人の端末から通信手段を介して申し込まれた配信の申込情報を受信する受信ステップと、
この受信ステップにより受信された申込情報に応答して、前記映像に関連した電子書籍を、前記少なくとも一人の観賞者に向けて前記通信手段を介して送信する送信ステップと、
を備えていることを特徴とする配信制御方法。
【請求項８】
放送局から放送されている映像を観賞している観賞者のうち、少なくとも一人の端末から通信手段を介して配本の申込を行った時刻と観賞している映像チャンネルを含む放送局情報とを受信する受信ステップと、
この受信ステップにより受信された時刻と放送局情報とにより特定される放送番組に関連した製本書籍の配本先情報を、前記少なくとも一人の観賞者に向けて前記通信手段を介して送信する送信ステップと、
を備えていることを特徴とする配信制御方法。
【請求項９】
放送局から放送されている映像を観賞している観賞者のうち、少なくとも一人の端末から通信手段を介して配信の申込を行った時刻と観賞している映像チャンネルを含む放送局情報とを受信する受信ステップと、
この受信ステップにより受信された時刻と放送局情報とにより特定される放送番組に関連した電子書籍を、前記少なくとも一人の観賞者に向けて前記通信手段を介して送信する送信ステップと、
を備えていることを特徴とする配信制御方法。
【請求項１０】
前記製本書籍は、前記映像に含まれている音声を変換したテキスト、前記映像と対応した字幕、および、前記映像と対応した文字データのいずれかを前記映像と合成して構成された静止画像を複数の印刷媒体上に印刷し、この印刷された複数の印刷媒体を用いて製本された書籍であることを特徴とする請求項６から請求項９のいずれかに記載の配信制御方法。
【発明の詳細な説明】
【０００１】
【発明の属する技術分野】
本発明は、携帯電話、パソコンなどの端末を用いて行う配信装置及び配信制御方法に関する。
【０００２】
【従来の技術】
インターネット利用の爆発的増加とそれを利用した各種のサービスとが広く実施されるに至っている。
たとえば、希望する音楽や映像を簡単に入手することができるようにしたサービス提供装置が知られている（例えば、特許文献１参照。）。
【０００３】
【特許文献１】
特開２００２−３４２６２１号公報
【０００４】
【発明が解決しようとする課題】
しかしながら、このようなサービス提供装置ではテレビ等の観賞者を充分に満足させることができないという課題があった。
たとえば、観賞者端末からインターネットを介してサーバーに向けて申し込まれた配本等の申込があった場合に応答して、観賞した放送映像に基づいた製本等の処理、製本の配本先情報の通知等を迅速かつ容易に送信することができなかったという課題があった。
【０００５】
そこで、本発明は、観賞者端末からインターネットを介してサーバーに向けて申し込まれた配本等の申込に応答して、観賞した放送映像に基づいた製本等の処理、製本の配本先情報の通知、電子書籍等を迅速かつ容易に送信することが可能な配信装置及び配信制御方法を提供することを目的とする。
【０００６】
【課題を解決するための手段】
本発明は、このような課題を達成するために、次のような特徴を備えている。
【０００７】
請求項１記載の発明は、例えば、図１〜図１０に示すように、放送局から放送されている映像を観賞している観賞者のうち、少なくとも一人の端末（例えば、図１の端末１）から通信手段（例えば、図１のネット４）を介して申し込まれた配本の申込情報を受信する受信手段（例えば、図１の受信部４ａ）と、この受信手段により受信された申込情報に応答して、前記映像に関連した製本書籍の配本先情報を、前記少なくとも一人の観賞者に向けて前記通信手段を介して送信する送信手段（例えば、図１の送信部４ｂ）と、を備えていることを特徴とする。
【０００８】
請求項１記載の発明によれば、放送局から放送されている映像を観賞している観賞者のうち、少なくとも一人の端末から通信手段を介して申し込まれた配本の申込情報を受信すると、これに応答して、前記映像に関連した製本書籍の配本先情報を、前記少なくとも一人の観賞者に向けて前記通信手段を介して送信することができる。
【０００９】
請求項２記載の発明は、例えば、図１〜図５、図７〜図９、図１１に示すように、放送局から放送されている映像を観賞している観賞者のうち、少なくとも一人の端末（例えば、図１の端末１）から通信手段（例えば、図１のネット４）を介して申し込まれた配信の申込情報を受信する受信手段（例えば、図１の受信部４ａ）と、この受信手段により受信された申込情報に応答して、前記映像に関連した電子書籍を、前記少なくとも一人の観賞者に向けて前記通信手段を介して送信する送信手段（例えば、図１の送信部４ｂ）と、を備えていることを特徴とする。
【００１０】
請求項２記載の発明によれば、放送局から放送されている映像を観賞している観賞者のうち、少なくとも一人の端末から通信手段を介して申し込まれた配信の申込情報を受信すると、この受信された申込情報に応答して、前記映像に関連した電子書籍を、前記少なくとも一人の観賞者に向けて前記通信手段を介して送信することができる。
【００１１】
請求項３記載の発明は、例えば、図１〜図１０に示すように、放送局から放送されている映像を観賞している観賞者のうち、少なくとも一人の端末（例えば、図１の端末１）から通信手段（例えば、図１のネット４）を介して配本の申込を行った時刻と観賞している映像チャンネルを含む放送局情報とを受信する受信手段（例えば、図１の受信部４ａ）と、この受信手段により受信された時刻と放送局情報とにより特定される放送番組に関連した製本書籍の配本先情報を、前記少なくとも一人の観賞者に向けて前記通信手段を介して送信する送信手段（例えば、図１の送信部４ｂ）と、を備えていることを特徴とする。
【００１２】
請求項３記載の発明によれば、放送局から放送されている映像を観賞している観賞者のうち、少なくとも一人の端末から通信手段を介して配本の申込を行った時刻と観賞している映像チャンネルを含む放送局情報とを受信すると、この受信された時刻と放送局情報とにより特定される放送番組に関連した製本書籍の配本先情報を、前記少なくとも一人の観賞者に向けて前記通信手段を介して送信することができる。
【００１３】
請求項４記載の発明は、例えば、図１〜図５、図７〜図９、図１１に示すように、放送局から放送されている映像を観賞している観賞者のうち、少なくとも一人の端末（例えば、図１の端末１）から通信手段（例えば、図１のネット４）を介して配信の申込を行った時刻と観賞している映像チャンネルを含む放送局情報とを受信する受信手段（例えば、図１の受信部４ａ）と、この受信手段により受信された時刻と放送局情報とにより特定される放送番組に関連した電子書籍を、前記少なくとも一人の観賞者に向けて前記通信手段を介して送信する送信手段（例えば、図１の送信部４ｂ）と、を備えていることを特徴とする。
【００１４】
請求項４記載の発明によれば、放送局から放送されている映像を観賞している観賞者のうち、少なくとも一人の端末から通信手段を介して配信の申込を行った時刻と観賞している映像チャンネルを含む放送局情報とを受信すると、この受信された時刻と放送局情報とにより特定される放送番組に関連した電子書籍を、前記少なくとも一人の観賞者に向けて前記通信手段を介して送信することができる。
【００１５】
【発明の実施の形態】
以下、図１〜図１０を参照して本発明に係る配信システムの実施の形態について詳細に説明する。
図１は本実施の形態にかかる配信システムの全体を示す。
図１に示すように、配信システムは、放送局にて放送されている映像を観賞している複数の観賞者端末１、映像を放送する放送局端末２、および、管理サーバー３を、通信手段であるインターネット４を介して接続して構成されている。
【００１６】
管理サーバー３は、各部全体を制御するためのＣＰＵ６を中心として、複数の観賞者端末１のうち、少なくとも一人の端末からインターネット４を介して送られた配信要求等の申込内容を受信する受信手段となる受信部４ａと、前記観賞者端末１から前記配信要求等を受信した際における申込内容、到着時刻等を記憶するためのＲＡＭ５と、前記このＲＡＭ５に記憶された申込内容、到着時刻等に応じた情報を前記各観賞者端末１にインターネット４を介して送信するための送信手段となる送信部４ｂとを備えている。なお、受信部４ａと送信部４ｂとで通信部４が構成されている。
このサーバー３は、更に、各種のデータを入力するための入力部７、各種のデータを表示するための表示部８、各種のデータを予め格納しているＲＯＭ９を備えている。
【００１７】
また、観賞者端末１は、各部全体を制御するためのＣＰＵ１０を中心として、放送局端末２及び前記サーバー３のうち少なくとも一方からデータなどを受信するための受信部１１ａと、この受信部１１ａから受信した際におけるデータなどを記憶するためのＲＡＭ１２と、放送局端末２との間でインターネット４を介して行った情報、前記サーバー３に対する情報等を、インターネット４を介して送信するための送信部１１ｂとを備えている。なお、受信部１１ａと送信部１１ｂとで通信部１１が構成されている。
この観賞者端末１は、更に、各種のデータを入力するための入力部１３、各種のデータを表示するための表示部１４、各種のデータを予め格納しているＲＯＭ１５を備えている。
【００１８】
また、放送局端末２は、各部全体を制御するためのＣＰＵ２０を中心として、観賞者端末１及びサーバー３のうち少なくとも一方から情報、通知、メッセージなどを受信するための受信部２１ａと、この受信部２１ａから受信した際における情報などを記憶するためのＲＡＭ２２と、観賞者端末１等へインターネット４を介して送信するための送信部２１ｂとを備えている。なお、受信部２１ａと送信部２１ｂとで通信部２１が構成されている。
この放送局端末２は、更に、各種のデータを入力するための入力部２３、各種のデータを表示するための表示部２４、各種のデータを予め格納しているＲＯＭ２５を備えている。
【００１９】
図２はサーバー３に備えられたＲＯＭ９を示す。このＲＯＭ９は、申込情報記憶領域９ａ、観賞番組特定情報記憶領域９ｂ、編集処理手続情報記憶領域９ｃ、印刷処理手続情報記憶領域９ｄ、製本処理手続情報記憶領域９ｅ、配本処理手続情報記憶領域９ｆを備えている。申込情報記憶領域９ａには観賞者端末１からサーバー３へ向けて送信された申込情報が、また、観賞番組特定情報記憶領域９ｂには観賞者端末１から送信された申込情報に基づいて観賞番組を特定するための観賞番組特定情報が、また、編集処理手続情報記憶領域９ｃには前記観賞番組特定情報に基づいて決まる各種の編集処理手続情報がそれぞれ格納されている。
【００２０】
前記申込情報は、▲１▼各観賞者端末１にそれぞれ割り当てられている「観賞者の識別情報」（例えば、機器ＩＤ番号、機器製造番号、観賞者ＩＤ番号）、▲２▼放送局名、放送局のＵＲＬ(Uniform Resource Locator：インターネット上の固有のアドレス)、番組名、Ｇコード、番組放送時間である開始時刻、終了時刻などの「放送局情報」、▲３▼または、申込発信時刻情報、観賞放送ＣＨ（チャンネル）、観賞中の放送番組毎に作成されている観賞放送ＵＲＬなどの「申込関連情報」を含む。
前記観賞番組特定情報は、前述した「申込関連情報」である申込発信時刻情報、観賞放送ＣＨ（チャンネル）、観賞放送ＵＲＬなどに基づき観賞番組を特定するための情報である。例えば、観賞者が特定の放送番組を観賞中にサーバー３へ向けて申込情報を発信した際における「申込発信時刻情報」、当該観賞中における特定の放送番組の「観賞放送ＣＨ（チャンネル）」、当該観賞中の放送番組毎に作成されている「観賞放送ＵＲＬ」などの「申込関連情報」がサーバー３へ送信されると、この「申込関連情報」に基づき観賞番組が特定される。
【００２１】
図３は管理サーバー３のホームページ上で受信される電子番組表ＲＯＭ２５ａの内容を示す。この電子番組表ＲＯＭ２５ａは放送局端末２内におけるＲＯＭ２５に含まれておりこのＲＯＭ２５から管理サーバー３へ提供されたものである。この電子番組表ＲＯＭ２５ａは「番組No.」「放送局名」「ＣＨ」「放送時間」「カテゴリー」「番組名」などを含む。「番組No.」は各放送局から放送される番組を通し番号で管理する。「放送局名」は放送局名のほかに、放送局ＵＲＬを含む。「ＣＨ」は放送チャンネルを示す。「放送時間」は放送が開始される時刻から放送が終了する時刻までの間の時間である。「カテゴリー」は放送内容の種類である。「番組名」は放送される番組の内容を示す。
【００２２】
図４は図３に関連した放送場面対応静止画ＲＯＭ９ａの内容を示す。この放送場面対応静止画ＲＯＭ９ａはサーバー３内におけるＲＯＭ９に含まれている。この放送場面対応静止画ＲＯＭ９ａは「番組No.」「放送時間」「放送場面」「登場人物など」「脚本（せりふ）「静止画」などを含む。「番組No.」は図３に示す「番組No.」と、また「放送時間」は図３に示す「放送時間」と同じである。「放送場面」は「放送時間」内における各場面を区分したものであり、「登場人物など」はこの「放送場面」内に登場する登場人物、メッセージなどを指す。「脚本（せりふ）は「放送場面」内に登場する登場人物がしゃべる「せりふ」であり、この「せりふ」を包む「吹き出し」を含む。「静止画」は「放送場面」毎の「登場人物」、「せりふ」「吹き出し」を編集合成して構成された静止画である。
【００２３】
図５（Ａ）（Ｂ）及び（Ｃ）は観賞者端末１、放送局端末２、および、サーバー３に備えられたＲＡＭ１２、ＲＡＭ５、ＲＡＭ２２を示す。
観賞者端末ＲＡＭ１２は識別情報記憶領域１２ａ、放送局情報記憶領域１２ｂ、申込関連情報記憶領域１２ｃなどを備えている。サーバーＲＡＭ５は識別情報記憶領域５ａ、放送局情報記憶領域５ｂ、申込関連情報記憶領域５ｃなどを備えている。放送局端末ＲＡＭ２２は編集処理手続情報記憶領域２２ａ、印刷処理手続情報記憶領域２２ｂ、製本処理手続情報記憶領域２２ｃ、配本処理手続情報記憶領域２２ｄなどを備えている。
【００２４】
図６は観賞者端末１、サーバー３、放送局端末２における各処理を示す。この各処理では、観賞者端末１はサーバー３から受信した電子番組表の中から希望する番組を選択し、この選択した番組または観賞した番組の内容について配本を希望する場合は、配本申込をサーバー３に対して行うと、サーバー３から、放送局端末２にて放送されている映像に基づいて編集された画像に基づいて印刷・製本された後、希望した配本先である書籍販売店等についての情報を通知してもらえる。
サーバー３は観賞者端末１に向かって電子番組表を配信し、観賞を希望する番組を選択してもらう。観賞者端末１から番組が選択され、配本申込がなされると、放送局端末２にて放送されている映像に基づいて編集された画像が印刷・製本されて、希望した配本先である書籍販売店についての情報を通知する。
放送局端末２はサーバー３へ電子番組表を配信する一方で、選択された番組内容をサーバー３へ送信する。
【００２５】
以下、各処理について詳細に説明する。
まず、観賞者端末１を用いて、サーバー３上に張られているホームページ（ＨＰ）をアクセスすると、そのホームページの画面がサーバー３から観賞者端末１へ送信される（ステップＳＡ１）。放送局端末２はそれの電子番組表ＲＯＭ２５ａを読み出してサーバー３へ電子番組表を事前に配信しており（ステップＳＡ３）、このホームページには電子番組表が含まれているので、この電子番組表も併せて送信される。
観賞者端末１はそのホームページの画面を受信する（ステップＳＡ２）。受信されたホームページの画面は、観賞者端末ＲＡＭ１２に格納される（ステップＳＡ２）。なお、放送局端末２の電子番組表ＲＯＭ２５ａから電子番組表を送信してもらう代わりに、サーバー端末ＲＯＭ９に電子番組表を格納しておき、この格納済みの電子番組表をサーバー３から送信してもらうようにしても良い。
【００２６】
このホームページの画面の受信後またはその前に順次受信された外部からの標準電波時刻はＲＡＭ１２へ記憶される。一方、格納済みの電子番組表は表示部１４に表示されるので、この表示部１４へ表示された電子番組表の中から希望する番組を選択する。例えば、図７に示すように、番組名「ドラ猫（連載その１）」を選択する。選択された番組名に関する番組データはＲＡＭ１２における放送局情報記憶領域１２ａへ格納される（ステップＳＡ４）。
一方、放送局端末２はこの電子番組表の送信と併せて、または別個に、電子番組表にて選択された放送番組内容であるテレビ映像データをサーバー３へ向けてリアルタイムで送信する（ステップＳＡ３）。サーバー３はこのテレビ映像データをリアルタイムで受信し、ホームページの画面の一部としてサーバーＲＡＭ５にリアルタイムで格納する（ステップＳＡ２）。観賞者端末１における観賞者は、この格納された番組内容であるテレビ映像を観賞することができる。
【００２７】
図８は観賞者端末１における表示部１４の画面であり、サーバー３のホームページの画面を示す。表示部１４の左部分は選択された番組内容である「テレビ映像画面」であり、放送局端末２から送られてきたテレビ動画がリアルタイムで映し出されている。観賞者端末１により電子番組表のなかから選択された番組内容（図７参照）が映し出されている。一方、表示部１４の右部分は「放送情報画面」であり、選択された番組内容（図７参照）に対応して、放送局端末２から送られてきたテレビ動画に関連した各種の情報が映し出されている。「放送情報」は「番組No.」、「放送時間（現在の放送中の時間）」「放送場面」「登場人物など」である。例えば、図７に示す番組名「ドラ猫（連載その１）」であれば、「番組No.」は「１」、「放送時間」は「１２：００―１２：０１」、「放送場面」は「Ａ」、「登場人物」は「甲、乙…」である。なお、表示部１４の右下部分は「申込画面」である。
【００２８】
次に、観賞者端末１における観賞者が当該放送番組について書籍配本を希望する場合には、当該放送番組を観賞している際、または観賞前後において、配本の申込を行う（ステップＳＡ５）。
この配本申込を行う際の画面を図８および図９（Ａ）に示す。配本の申込を行うには、図９（Ａ）における申込画面において、「次へ」のソフトボタン１４ａをクリック操作する。このクリック操作がなれたか否かはＣＰＵ１０の働きにより判別される。
「次へ」のソフトボタン１４ａがクリック操作されたと判別されると、図９（Ｂ）に示すように、確認画面が表示部１４に表示される。そこで、「申し込む」のソフトボタン１４ｂまたは「戻る」ソフトボタン１４ｃがクリック操作されたか否かが判別される。もしも、「戻る」ソフトボタン１４ｃがクリック操作されずに、申込を最終的に確認するための「申し込む」のソフトボタン１４ｂがクリック操作されたとＣＰＵ１０の働きにより判別され、この一連の操作処理が完了する（ステップＳＡ５）。
【００２９】
配本申込が行われると、▲１▼観賞者の端末２の「端末識別情報」（例えば、ＩＤ番号、パスワード情報）、▲２▼「申込情報」（例えば、現在観賞中の放送局名、放送局のＵＲＬ、番組名、Ｇコード、番組放送時間など）がサーバー３に向けて送信される。または、▲２▼の「申込情報」に代わる▲３▼「申込関連情報」（例えば、映像観賞中の申込のソフトボタン１４ａが押された際における申込発信時刻情報、観賞放送チャンネル（ＣＨ）、放送局のＵＲＬなど）がサーバー３に向けて送信される。
【００３０】
サーバー３は、観賞者の端末２から送られてきた「端末識別情報」と「申込情報」、または「端末識別情報」と「申込関連情報」とを受信する（ステップＳＡ８）。この情報はサーバーＲＡＭ５に格納されるが、「端末識別情報」と「申込情報」とはそのままの形で格納される。しかし、「申込関連情報」に含まれている申込発信時刻情報、観賞放送チャンネル（ＣＨ）、放送局のＵＲＬなどとサーバーＲＯＭ９に記憶されている観賞番組特定情報とに基づいて観賞番組を特定し、この特定された観賞番組が格納される。
【００３１】
サーバー３は、その後、サーバーＲＡＭ５に格納されている送信データ等を放送局端末２に向けて送信する（ステップＳＡ９）。放送局端末２は送信データ等を受信する（ステップＳＡ１１）。この受信した送信データ等はRAM２２に格納される（ステップＳＡ１２）。
放送局端末２はサーバー３から受けた送信データ等に従って観賞番組データを自己のデータベース内に蓄積されている検索し、該当する観賞番組データをデータベースのなかから読み出し、この読み出した観賞番組データを、サーバー３から受信されている端末識別情報とともにサーバー３へ向けて送信する（ステップＳＡ１３）。サーバー３は、これを受信する。この受信したはＲＡＭ５に格納される（ステップＳＡ１４）。
【００３２】
サーバー３は放送局端末２から送られてきた観賞番組データ等をサーバーＲＯＭ９内における編集処理手続情報に従って編集処理する。この編集処理は、例えば、▲１▼放送局により提供された観賞番組データのうち、「番組No.」が「１」の番組映像の場合には、その番組映像の中の「放送時間」である「１２：００−１２：０１」の間の「放送場面」の「Ａ」に存在する音声部分をテキスト（文字）へ変換する。▲２▼このテキストに対応する番組画像を一枚抽出し、この抽出された一枚の静止画を特定する。▲３▼この特定された一枚の静止画上に、予め用意されている「吹き出し付きテキスト」を当該番組画像へ合成する。▲４▼その他編集に必要な手続情報に従って編集を施す。このような編集処理を各放送場面毎である「Ｂ」「Ｃ」…「ｎ」分、繰り返し実行する。これにより複数枚の合成静止画を作成する。
【００３３】
次に、印刷処理手続情報に従って印刷処理する。この印刷処理により、前述の作成された複数枚の合成静止画を印刷用紙に印刷し、複数の印刷済み合成静止画用紙を作成する。
次に、製本処理手続情報に従って製本処理する。この製本処理により、前述の作成された複数の印刷済み合成静止画用紙を用いた製本を作成する。
このようにして編集、印刷、製本の各処理が完了すると、配本先情報が観賞者端末１へ通知される（ステップＳＡ１５）。
【００３４】
図１０は配本先情報の通知画面の一例を示す。この通知画面では、配本先として「あなたから配本申込のあった製本はＡ書店（東京都飯田橋）へ平成１４年１２月１日に配本されます。」、配本される書籍の価格として「価格は１２００円です。」などを含む。
観賞者端末１はこの配本先情報の通知を受信すると、ＲＡＭ１２へこの配本先情報の通知を格納する（ステップＳＡ１６）。観賞者端末１における表示部１４はこの格納された配本先情報の通知を見ることができる。観賞者はこれにより配本申込に対応した製本書籍がどの書店に配本されるのか、価格はどの位かといった情報を知ることができる。
【００３５】
一方、サーバー３はこれらの一連の配本処理結果について放送局端末２へ送信するので、放送局端末２はこの一連の配本処理結果を受信し、ＲＡＭ２２へ格納する（ステップＳＡ１７）。
なお、観賞者端末１から配本に対する配本価格の一部がサーバー３および放送局端末２へ支払われるが、この支払いは事前に提携されている金融機関の口座からサーバー３および放送局端末２へ自動支払いが行われる。この支払いおよび自動支払い結果はネット４を介してサーバー３および放送局端末２へ通知される。サーバー３および放送局端末２はこれにより、配本に対する料金を得ることができる。
【００３６】
このようにして、サーバー３は観賞者端末１から送られてきた送信データおよび識別データなどを含む配本申込情報に基づいて、図２に示すサーバーＲＯＭ９を参照し、この参照の結果、編集、印刷、製本等の各処理を行い、配本先情報を通知してくれるので、観賞者端末１はこの通知により観賞者は、観賞した放送映像に基づいた製本を配本先で確実かつ迅速に入手することができる。
【００３７】
なお、この実施の形態と異なり、観賞者端末１による機能およびサーバー３による機能を搭載した観賞・製本端末を各書店に配置しておき、図６に示す観賞者端末１およびサーバー３における前半のステップＳＡ１、ＳＡ２，ＳＡ４〜ＳＡ９、ＳＡ１４〜ＳＡ１６における各処理（電子番組表の選択、配本申込、編集処理、印刷処理、製本処理など）を各書店に配置されている観賞・製本端末で実行するようにしても良い。このように構成すれば、各書店に配置されている観賞・製本端末で観賞した放送番組（オン・デマンド等により光記録媒体などに事前に記憶・蓄積されている放送番組を含む）に基づいた製本を配本先となる書店において確実かつ迅速に直接的に入手することができる。
【００３８】
図１１は本件発明の他の実施態様を示す。この実施態様ではパソコンを用いた観賞者端末１に代えて携帯電話を用いる。
この各処理では、携帯電話である観賞者端末１はサーバー３から受信した電子番組表の中から希望する番組を選択し、この選択した番組または観賞した番組の内容について電子書籍の配信を希望する場合は、配信申込をサーバー３に対して行うと、サーバー３から、放送局端末２にて放送されている映像に基づいて編集された画像に基づいて作成された電子書籍を配信してもらえる。
【００３９】
サーバー３は観賞者端末１に向かって電子番組表を配信し、観賞を希望する番組を選択してもらう。観賞者端末１から番組が選択され、配信申込がなされると、放送局端末２にて放送されている映像に基づいて編集された画像からなる電子書籍を携帯電話である観賞者端末１へ配信する。
放送局端末２はサーバー３へ電子番組表を配信する一方で、選択された番組内容をサーバー３へ送信する。
【００４０】
以下、各処理について詳細に説明する。
まず、携帯電話である観賞者端末１を用いて、サーバー３上に張られているホームページ（ＨＰ）をアクセスすると、そのホームページの画面がサーバー３から観賞者端末１へ送信される（ステップＳＢ１）。放送局端末２はそれの電子番組表ＲＯＭ２５ａを読み出してサーバー３へ電子番組表を事前に配信しており（ステップＳＢ３）、このホームページには電子番組表が含まれているので、この電子番組表も併せて送信される。
【００４１】
観賞者端末１はそのホームページの画面を受信する（ステップＳＢ２）。受信されたホームページの画面は、観賞者端末ＲＡＭ１２に格納される（ステップＳＢ２）。なお、放送局端末２の電子番組表ＲＯＭ２５ａから電子番組表を送信してもらう代わりに、サーバー端末ＲＯＭ９に電子番組表を格納しておき、この格納済みの電子番組表をサーバー３から送信してもらうようにしても良い。
このホームページの画面の受信後またはその前に順次受信された外部からの標準電波時刻はＲＡＭ１２へ記憶される。一方、格納済みの電子番組表は表示部１４に表示されるので、この表示部１４へ表示された電子番組表の中から希望する番組を選択する。例えば、図７に示すように、番組名「ドラ猫（連載その１）」を選択する。選択された番組名に関する番組データはＲＡＭ１２における放送局情報記憶領域１２ａへ格納される（ステップＳＢ４）。
【００４２】
一方、放送局端末２はこの電子番組表の送信と併せて、または別個に、電子番組表にて選択された放送番組内容であるテレビ映像データをサーバー３へ向けてリアルタイムで送信する（ステップＳＢ３）。サーバー３はこのテレビ映像データをリアルタイムで受信し、ホームページの画面の一部としてサーバーＲＡＭ５にリアルタイムで格納する（ステップＳＢ２）。観賞者端末１における観賞者は、この格納された番組内容であるテレビ映像を携帯電話である観賞者端末１の表示部１４において観賞することができる。観賞者端末１における表示部１４の画面内容は図８に示す画面と同じであるため、省略する。
【００４３】
次に、観賞者端末１における観賞者が当該放送番組について書籍配信を希望する場合には、当該放送番組を観賞している際、または観賞前後において、配信の申込を行う（ステップＳＢ５）。この配信申込を行う際の画面は図８および図９（Ａ）における画面と同じであるので、省略する。
【００４４】
配信申込が行われると、▲１▼観賞者の端末２の「端末識別情報」（例えば、ＩＤ番号、パスワード情報）、▲２▼「申込情報」（例えば、現在観賞中の放送局名、放送局のＵＲＬ、番組名、Ｇコード、番組放送時間など）がサーバー３に向けて送信される。または、▲２▼の「申込情報」に代わる▲３▼「申込関連情報」（例えば、映像観賞中の申込のソフトボタン１４ａが押された際における申込発信時刻情報、観賞放送チャンネル（ＣＨ）、放送局のＵＲＬなど）がサーバー３に向けて送信される。
サーバー３は、観賞者の端末２から送られてきた「端末識別情報」と「申込情報」、または「端末識別情報」と「申込関連情報」とを受信する（ステップＳＢ８）。この情報はサーバーＲＡＭ５に格納されるが、「端末識別情報」と「申込情報」とはそのままの形で格納される。しかし、「申込関連情報」に含まれている申込発信時刻情報、観賞放送チャンネル（ＣＨ）、放送局のＵＲＬなどとサーバーＲＯＭ９に記憶されている観賞番組特定情報とに基づいて観賞番組を特定し、この特定された観賞番組が格納される。
【００４５】
サーバー３は、その後、サーバーＲＡＭ５に格納されている送信データ等を放送局端末２に向けて送信する（ステップＳＢ９）。放送局端末２は送信データ等を受信する（ステップＳＢ１１）。この受信した送信データ等はRAM２２に格納される（ステップＳＢ１２）。
放送局端末２はサーバー３から受けた送信データ等に従って観賞番組データを自己のデータベース内に蓄積されている検索し、該当する観賞番組データをデータベースのなかから読み出し、この読み出した観賞番組データを、サーバー３から受信されている端末識別情報とともにサーバー３へ向けて送信する（ステップＳＢ１３）。サーバー３は、これを受信する。この受信したはＲＡＭ５に格納される（ステップＳＢ１４）。
【００４６】
サーバー３は放送局端末２から送られてきた観賞番組データ等をサーバーＲＯＭ９内における編集処理手続情報に従って編集処理する。この編集処理は、例えば、▲１▼放送局により提供された観賞番組データのうち、「番組No.」が「１」の番組映像の場合には、その組映像の中の「放送時間」である「１２：００−１２：０１」の間における「放送場面」の「Ａ」に存在する音声部分をテキスト（文字）へ変換する。▲２▼このテキストに対応する番組画像を一枚抽出し、この抽出された一枚の静止画を特定する。▲３▼この特定された一枚の静止画上に、予め用意されている「吹き出し付きテキスト」を当該番組画像へ合成する。▲４▼その他編集に必要な手続情報に従って編集を施す。このような編集処理を各放送場面毎である「Ｂ」「Ｃ」…「ｎ」分、繰り返し実行する。これにより複数枚の合成静止画を作成する。
【００４７】
次に、電子書籍配信処理手続情報に従って配信処理する。この配信処理は前述の作成された複数枚の合成静止画を電子書籍として観賞者端末１へ配信する（ステップＳＢ１５）。
【００４８】
図１２は配信された電子書籍の画面の一例を示す。この画面は、図８に示す画面内容と同じである。観賞者端末１はこの配信された電子書籍を受信すると、ＲＡＭ１２へこの配信された電子書籍を格納する（ステップＳＢ１６）。観賞者端末１における表示部１４はこの格納された電子書籍を見ることができる。
一方、サーバー３はこれらの一連の配信処理結果について放送局端末２へ送信するので、放送局端末２はこの一連の配信処理結果を受信し、ＲＡＭ２２へ格納する（ステップＳＢ１７）。
なお、観賞者端末１から配信に対する配信価格の一部がサーバー３および放送局端末２へ支払われるが、この支払いは事前に提携されている金融機関の口座からサーバー３および放送局端末２へ自動支払いが行われる。この支払いおよび自動支払い結果はネット４を介してサーバー３および放送局端末２へ通知される。サーバー３および放送局端末２はこれにより、配信に対する料金を得ることができる。
【００４９】
このようにして、サーバー３は観賞者端末１から送られてきた送信データおよび識別データなどを含む配信申込情報に基づいて、図２に示すサーバーＲＯＭ９を参照し、この参照の結果、編集、配信等の各処理を行い、電子書籍の配信を行ってくれるので、観賞者端末１における観賞者は、観賞した番組内容である放送映像に対応した電子書籍を自己の端末１における表示部１４で、放送番組の放送中または終了後に確実かつ迅速に再度読むことができる。
【００５０】
なお、この実施の形態と異なり、観賞者端末１における前半のステップＳＢ２からＳＢ６における各処理を観賞者が所有しているパソコン端末で実行し、その後半のステップＳＢ１６における処理を観賞者が所有している携帯電話または電子手帳、ＰＤＡなどの携帯端末で実行するようにしても良い。
【００５１】
また、この実施の形態と異なり、サーバー３による機能および放送局端末１による機能を搭載した単一の配信装置となるサーバー・放送端末で構成しておき、図６に示すサーバー３および放送局端末１におけるステップＳＢ１、ＳＢ３，ＳＢ７〜ＳＢ１０、ＳＢ１１〜ＳＢ１５における各処理（ホームページの表示、申込情報の受信、観賞番組データの送信、編集処理、電子書籍の配信処理など）を単一の配信装置となるサーバー・放送端末で実行するようにしても良い。このように構成すれば、単一の配信装置となるサーバー・放送端末で観賞者が観賞した放送番組に基づいた電子書籍を携帯電話等の携帯端末１において確実かつ迅速に入手することができる。
【００５２】
【発明の効果】
以上説明したように、この発明によれば、次のような効果を奏することができる。
請求項１及び請求項６記載の発明によれば、放送局から放送されている映像を観賞している観賞者のうち、少なくとも一人の端末から通信手段を介して申し込まれた配本の申込情報を受信すると、これに応答して、前記映像に関連した製本書籍の配本先情報を、前記少なくとも一人の観賞者に向けて前記通信手段を介して送信することが可能となる。
【００５３】
請求項２及び請求項７記載の発明によれば、放送局から放送されている映像を観賞している観賞者のうち、少なくとも一人の端末から通信手段を介して申し込まれた配信の申込情報を受信すると、この受信された申込情報に応答して、前記映像に関連した電子書籍を、前記少なくとも一人の観賞者に向けて前記通信手段を介して送信することが可能となる。
【００５４】
請求項３及び請求項８記載の発明によれば、放送局から放送されている映像を観賞している観賞者のうち、少なくとも一人の端末から通信手段を介して配本の申込を行った時刻と観賞している映像チャンネルを含む放送局情報とを受信すると、この受信された時刻と放送局情報とにより特定される放送番組に関連した製本書籍の配本先情報を、前記少なくとも一人の観賞者に向けて前記通信手段を介して送信することが可能となる。
【００５５】
請求項４及び請求項９記載の発明によれば、放送局から放送されている映像を観賞している観賞者のうち、少なくとも一人の端末から通信手段を介して配信の申込を行った時刻と観賞している映像チャンネルを含む放送局情報とを受信すると、この受信された時刻と放送局情報とにより特定される放送番組に関連した電子書籍を、前記少なくとも一人の観賞者に向けて前記通信手段を介して送信することが可能となる。
【００５６】
このようにこの発明によれば、観賞者端末からインターネットを介してサーバーに向けて申し込まれた配本申込または電子書籍の配信申込に応答して、観賞中または観賞後、当該観賞番組に基づいた製本等の処理、製本の配本先情報の通知または観賞番組に基づいた電子書籍等を迅速かつ容易に入手することが可能となるといった効果を奏することができる。
【図面の簡単な説明】
【図１】本実施の形態にかかる配信システムの全体を示す全体ブロック図である。
【図２】サーバーにおけるＲＯＭの構成を示す図である。
【図３】電子番組表ROMの一例を示す図である。
【図４】図３に示す電子番組表における放送場面対応静止画ROMの一例を示す図である。
【図５】（Ａ）（Ｂ）及び（Ｃ）は観賞者端末、サーバー、及び放送局端末におけるＲＡＭの構成を示す図である。
【図６】本実施の形態にかかる各端末等の処理を示す図である。
【図７】本実施の形態にかかる電子番組表による番組の選択例を示す図である。
【図８】テレビ映像画面、放送情報等の画面例を示す図である。
【図９】（Ａ）及び（Ｂ）は観賞者端末における申込画面と確認画面とを示す図である。
【図１０】観賞者端末における配信先情報通知画面例を示す図である。
【図１１】本願発明の他の実施の形態にかかる各端末等の処理を示す図である。
【図１２】携帯端末における配信された電子書籍の画面の一例を示す図である。
【符号の説明】
１                  観賞者端末
２                  放送局端末
３                  サーバー
４ａ                受信部
４ｂ                送信部
５                  ＲＡＭ
６                  ＣＰＵ
８                  表示部
９                  ＲＯＭ
【図１】
2004199257.tif 000003
【図２】
2004199257.tif 000004
【図３】
2004199257.tif 000005
【図４】
2004199257.tif 000006
【図５】
2004199257.tif 000007
【図６】
2004199257.tif 000008
【図７】
2004199257.tif 000009
【図８】
2004199257.tif 000010
【図９】
2004199257.tif 000011
【図１０】
2004199257.tif 000012
【図１１】
2004199257.tif 000013
【図１２】
2004199257.tif 000014